【事件の表示】
　特願２０１１−　７６２６８「太陽電池モジュールおよび太陽電池」拒絶査定不服審判事件〔平成２４年１１月　１日出願公開、特開２０１２−２１２７０５〕について、次のとおり審決する。
【結　論】
　本件審判の請求は、成り立たない。
【理　由】
第１　手続の経緯
　本願は、平成２３年３月３０日の出願であって、平成２６年４月１４日付けで拒絶理由が通知され、同年６月１８日付けで、意見書及び手続補正書が提出され、同年７月１日付けで最後の拒絶理由が通知され、同年９月３日付けで、意見書及び手続補正書が提出され、同年９月１７日付けで、平成２６年９月３日付けの手続補正書でした補正は、決定をもって却下されるとともに、同日付けで拒絶査定がされ、これに対し、同年１２月５日付けで拒絶査定不服審判の請求がされるとともに、同時に手続補正がされたものである。
　
第２　平成２６年１２月５日付けの手続補正についての補正却下の決定
［補正却下の決定の結論］
　平成２６年１２月５日付けの手続補正（以下、「本件補正」という。）を却下する。
［理由］
１．本件補正について
　本件補正は、本件補正により補正される前の特許請求の範囲について、下記アを、下記イと補正するものを含む。
　ア　本件補正前（平成２６年６月１８日付け手続補正書）の特許請求の範囲
「【請求項１】
　透明基板と、前記透明基板上に平面的に配列された複数個の太陽電池セルと、前記複数個の太陽電池セル上に配置された拡散板とを有し、
　前記太陽電池セルは、前記透明基板上に形成され、透光性を有する第１電極層と、前記第１電極層上に形成された光電変換機能層と、前記光電変換機能層上に形成され、遮光性を有する第２電極層とを有し、
　隣接する前記太陽電池セルの間に、前記透明基板上に前記太陽電池セルが形成されていない透過領域が配置され、
　前記拡散板が、透明樹脂に光拡散粒子が分散され、前記光拡散粒子の含有量が前記透明樹脂１００重量部に対して０．０１重量部〜５重量部の範囲内であるもの、または、表面に凹凸形状を有するものであることを特徴とする太陽電池モジュール。
　　【請求項２】
　前記第２電極層が反射性を有することを特徴とする請求項１に記載の太陽電池モジュール。
　　【請求項３】
　前記透明基板が樹脂製フィルムであることを特徴とする請求項１または請求項２に記載の太陽電池モジュール。
　　【請求項４】
　前記太陽電池セルおよび前記拡散板の距離が１０ｃｍ以内であり、
　前記透明基板上に前記太陽電池セルが形成されている遮光領域の前記透過領域に挟まれた幅が５ｃｍ以内であることを特徴とする請求項１から請求項３までのいずれかの請求項に記載の太陽電池モジュール。
　　【請求項５】
　透明基板と、前記透明基板上にパターン状に形成され、透光性を有する第１電極層と、
　前記第１電極層上に形成された光電変換機能層と、前記光電変換機能層上に形成され、
遮光性を有する第２電極層と、前記第２電極層上に配置された拡散板とを有し、
　前記透明基板上に前記第１電極層、前記光電変換機能層、および前記第２電極層が形成されていない透過領域を有し、
　前記拡散板が、透明樹脂に光拡散粒子が分散され、前記光拡散粒子の含有量が前記透明樹脂１００重量部に対して０．０１重量部〜５重量部の範囲内であるもの、または、表面に凹凸形状を有するものであることを特徴とする太陽電池。
　　【請求項６】
　前記第２電極層が反射性を有することを特徴とする請求項５に記載の太陽電池。
　　【請求項７】
　前記透明基板が樹脂製フィルムであることを特徴とする請求項５または請求項６に記載の太陽電池。」
　 
　イ　本件補正後の特許請求の範囲
「【請求項１】
　透明基板と、前記透明基板上に平面的に配列された複数個の太陽電池セルと、前記複数個の太陽電池セル上に配置された拡散板とを有し、
　前記太陽電池セルは、前記透明基板上に形成され、透光性を有する第１電極層と、前記第１電極層上に形成された光電変換機能層と、前記光電変換機能層上に形成され、遮光性を有する第２電極層とを有し、
　隣接する前記太陽電池セルの間に、前記透明基板上に前記太陽電池セルが形成されていない透過領域が配置され、
　前記拡散板が、透明樹脂に光拡散粒子が分散され、前記光拡散粒子の含有量が前記透明樹脂１００重量部に対して０．０１重量部〜５重量部の範囲内であるもの、または、表面に凹凸形状を有するものであり、
　前記拡散板がエッジライト式両面導光板ではなく、
　前記拡散板が、前記太陽電池セル上にエッジライト式両面導光板を介さずに配置されていることを特徴とする太陽電池モジュール。
　　【請求項２】
　前記第２電極層が反射性を有することを特徴とする請求項１に記載の太陽電池モジュール。
　　【請求項３】
　前記透明基板が樹脂製フィルムであることを特徴とする請求項１または請求項２に記載の太陽電池モジュール。
　　【請求項４】
　前記太陽電池セルおよび前記拡散板の距離が１０ｃｍ以内であり、
　前記透明基板上に前記太陽電池セルが形成されている遮光領域の前記透過領域に挟まれた幅が５ｃｍ以内であることを特徴とする請求項１から請求項３までのいずれかの請求項に記載の太陽電池モジュール。
　　【請求項５】
　透明基板と、前記透明基板上にパターン状に形成され、透光性を有する第１電極層と、
前記第１電極層上に形成された光電変換機能層と、前記光電変換機能層上に形成され、遮光性を有する第２電極層と、前記第２電極層上に配置された拡散板とを有し、
　前記透明基板上に前記第１電極層、前記光電変換機能層、および前記第２電極層が形成されていない透過領域を有し、
　前記拡散板が、透明樹脂に光拡散粒子が分散され、前記光拡散粒子の含有量が前記透明樹脂１００重量部に対して０．０１重量部〜５重量部の範囲内であるもの、または、表面に凹凸形状を有するものであり、
　前記拡散板がエッジライト式両面導光板ではなく、
　前記拡散板が、前記第２電極層上にエッジライト式両面導光板を介さずに配置されていることを特徴とする太陽電池。
　　【請求項６】
　前記第２電極層が反射性を有することを特徴とする請求項５に記載の太陽電池。
　　【請求項７】
　前記透明基板が樹脂製フィルムであることを特徴とする請求項５または請求項６に記載の太陽電池。」
　
２．新規事項の有無及び補正の目的要件　
　本件補正後の請求項１に係る補正は、本件補正前の請求項１に係る発明の「拡散板」について、「前記拡散板がエッジライト式両面導光板ではなく、前記拡散板が、前記太陽電池セル上にエッジライト式両面導光板を介さずに配置されている」点を限定するものであるところ、本願の願書に最初に添付した明細書又は図面には、「前記拡散板」が「エッジライト式両面導光板」であることや、「エッジライト式両面導光板を介」して「配置されている」ことを想定できるような記載はなく、また、本件補正は、拒絶理由に引用された文献に開示された事項を除く目的でなされた、いわゆる、「除くクレーム」として補正されたものであるから、上記補正は、当初明細書に記載した事項の範囲内においてするものと認められる。 
　そして、本件補正前の該請求項１に記載された発明と本件補正後の請求項１に記載された発明（以下、「本件補正発明」という。）の産業上の利用分野及び解決しようとする課題が同一であって、本件補正のうち、補正後の請求項１に係る補正は、特許法第１７条の２第５項第２号の特許請求の範囲の減縮を目的としたものに該当する。
　
　そこで、本件補正発明が特許出願の際独立して特許を受けることができるものであるか（特許法第１７条の２第６項において準用する同法第１２６条第７項の規定に適合するか）を、進歩性（特許法第２９条第２項）について検討する。
　
３．本件補正発明の進歩性について
（１）本件補正発明
　本件補正発明は、上記「１．イ」の請求項１に記載されたとおりのものと認める。
（２）引用文献１〜３の記載
　ア　引用文献１について
　本願の出願前に頒布された刊行物である特開２００６−３１９０２６号公報（以下、「引用文献１」という。）には、「太陽電池モジュールおよび太陽光発電システム、並びにこの太陽電池モジュールを具えてなる窓材、建材および建築物」（発明の名称）について、次の記載がある（下線は当審が付与した。以下、同じ。）。
（引１ア）「【０００１】
　
本発明は、
調光機能を有する、光透過部を備えた太陽電池モジュール
太陽電池モジュールを具えてなる窓材
に関する
（引１イ）「【０００８】
　
本発明の太陽電池モジュールは、複数の太陽電池セルが互いに隣接する太陽電池セル間に光透過部が形成されるよう配設されてなるものであって、
　光透過部には、シート状の調光機能材料が設けられており、
　太陽電池モジュールの裏面側の照度または太陽電池モジュールの裏面温度が設定された目的照度または目的温度と一致するよう調光機能材料の光透過率が調整されると共に、調光機能材料によって散乱された光の一部が太陽電池セルに入射されること
（引１ウ）「【００２０】
　以下、本発明について図面を参照しながら説明する。
【００２１】
　図１は、本発明の太陽光発電システムの一例における構成の概略を示すブロック図、図２は、図１に示す太陽光発電システムを構成する太陽電池モジュールの一例における構成の概略を示す平面図、図３は、図２に示す太陽電池モジュールの要部の構成を示す拡大断面図である。
　この太陽光発電システムは、複数の太陽電池モジュール１０が、例えば縦横に並んだ状態で、所要の電力が得られるよう組み合わされてなる太陽電池アレイ５０と、各々の太陽電池モジュール１０の出力を制御する制御手段２０とを備えており、太陽電池アレイ５０から出力される発電電力が負荷４０に供給される構成とされている。ここに、各々の太陽電池モジュール１０の接続は、従来より好適に用いられている方法を利用することができる。
　この太陽光発電システムは、例えば、商用電力網と連系させた、いわゆる「系統連系形」のものとして用いられる。
【００２２】
　各々の
太陽電池モジュール１０は、
平板状の入射面側光透過性基材１１とこれに対向する平板状の裏面側光透過性基材１２との間に、複数個の太陽電池セル１３が同一の平面レベル内において、例えば互いに等間隔毎に離間して縦横に並ぶよう配設されると共に、例えばＥＶＡ（エチレン酢酸ビニール）などの透明樹脂よりなる充填材１４が封入されて、構成されており、互いに隣接する太陽電池セル１３間が採光用の光透過部１５とされている
【００２３】
　
入射面側光透過性基材１１は、
白板強化ガラス
　
この入射面側光透過性基材１１は、
調光機能材料３０によって散乱された
反射光を、
再反射させて、太陽電池セル１３に入射させる機能を有する。
　また、裏面側光透過性基材１２としては、特に制限されるものではなく、例えばガラス等の透明な無機材料、透明な有機樹脂材料を例示することができ、板状のものであっても、フィルム状のものであってもよい。
　入射面側光透過性基材１１および裏面側光透過性部材１２の厚みは、太陽電池モジュール１０全体に必要な強度を維持することができるよう、太陽電池セル１３が配設された層部分における強度や太陽電池モジュール１０の面積の大きさなどに応じて適宜に設定することができる。一例を示すと、太陽電池モジュール１０の面積が例えば１ｍ2程度である場合には、入射面側光透過性基材１１の厚みは、例えば４〜６ｍｍとされ、裏面側光透過性基材１２の厚みは、例えばフロートガラスが用いられた場合には、例えば４〜８ｍｍとされる。
【００２４】
　
太陽電池セル１３は
特に限定されるものではない。
【００２５】
　この太陽電池モジュール１０においては、
太陽電池セル１３が配設された層レベルより裏面側のレベル位置に、シート状の調光機能材料（以下、「調光シート」という。）３０が
光透過部１５を覆うよう埋設されている
　
調光シート３０は、例えば液晶シートよりなり、適正な大きさに制御された電圧が印加されて液晶分子の配向状態が調整されることにより、調光シート３０の光透過率が調整される
　この例においては、
調光シート３０の入射面は例えば波状とされている
（引１エ）図１
（引１オ）図２
（引１カ）図３
　
　イ　本願の出願前に頒布された刊行物である特開２００５−２１７１３０号公報（以下、「引用文献２」という。）には、「太陽電池モジュール」（発明の名称）について、次の記載がある。
（引２ア）「【０００１】
　
本発明は、
窓に設置される採光型太陽電池モジュール
（引２イ）「【００３２】
　ここで、本発明の実施形態における構成要素である太陽電池素子の一例であるボールソーラー素子について説明する。ボールソーラー素子は、球状シリコンにｎドープ層もしくはpドープ層を作成し
ｐｎ接合ダイオードを形成したものに、下部電極および上部電極を形成することで、太陽電池素子として機能する。
上部電極としては一般的に透明導電性薄膜であるＩＴＯが用いられており
太陽電池素子の受光面上に形成される上部電極である透明導電膜から電流を収集する役割を果たしている
下部電極については、アルミニウム基板やアルミペーストを用いて電流を取り出すのが一般的である。
　
　ウ　本願の出願前に頒布された刊行物である実願平４−８２０３４号（実開平６-４５３５６号）のＣＤ−ＲＯＭ（以下、「引用文献３」という。）には、「太陽電池装置」（考案の名称）について、次の記載がある。
（引３ア）「【０００５】
　　【課題を解決するための手段】
　本考案の太陽電池装置は、少なくとも入射光の一部を透過する太陽電池と、透過した光を太陽電池側に反射する反射板からなり、前記反射板は太陽電池の裏面側に摺動自在に配設されていることを特徴とする。
【０００６】
　　【作用】
　本考案の構造では、採光が必要でないとき反射板を透過型太陽電池の透過部の裏面に対向する位置に摺動し、透過した光を反射板により太陽電池側に反射させることにより、光を有効に利用して出力の低下を抑制し、加えて、車内温度の上昇を抑えることができる。また、採光の必要なときは、太陽電池の透過部の裏面に対向する位置からずらすことにより、透過光を採光できる。
【０００７】
　　【実施例】
　図１は、本考案の一実施例を示す太陽電池装置の断面図、図２は、図１に示す太陽電池装置におけるサンルーフの上面図、図３は、図２のＡ−Ａ断面図である。
【０００８】
　
１は、入射光の一部が透過する透過型太陽電池１０が装着されたサンルーフ
３は、受光面が反射率の大きい金属、または白色のプラスチック等からなる反射板
４は、反射板３を収納するための収納隔壁で、手動または図示していない電動の収納機構により、反射板３を収納隔壁４内に収納したり、サンルーフ１の裏面側に配設したりスライド移動することができる。
【０００９】
　
１０は、透過型太陽電池を示し、１０１は、ガラスまたは耐熱プラスチック等の透光性絶縁基板、１０２は、酸化錫または酸化インジウム錫等の透明導電膜、１０３は、アモルファスシリコンまたはアモルファスシリコンカーバイド等をｐｉｎに積層した半導体光活性層、１０４は、金属膜からなる裏面電極である。
【００１０】
　１１は、サンルーフ１の本体となる強化ガラス、１２は、透過型太陽電池１０の裏面側に設けられた透明防湿シート、１３ａ、１３ｂは透過型太陽電池１０を強化ガラス１１と透明防湿シート１２とで封止するために、透過型太陽電池１０と強化ガラス１１、及び透過型太陽電池１０と透明防湿シート１２との間に各々充填され、相互の位置関係を固定する透明樹脂である。」
（引３イ）図１
（引３ウ）図２
（引３エ）図３
（引３オ）図５
　
（３）引用文献１〜３に記載されている事項
　ア　引用文献１について
　【００２２】〜【００２３】を参照すると、図３には、調光シート３０は、充填材１４上に配置され、該調光シート３０によって散乱された光の一部が太陽電池セルに入射され、調光シートによって散乱された光の一部が、太陽電池モジュール１０の平板状の裏面側光透過性基材１２から出射することが示されていると認められる。
　
　そうすると、引用文献１の図１〜３に示された「太陽電池モジュール１０」について、
　「平板状の白板強化ガラスの入射面側光透過性基材１１とこれに対向する平板状の裏面側光透過性基材１２との間に、エチレン酢酸ビニールよりなる充填材１４が封入され、
　該充填材１４中に、複数個の太陽電池セル１３が同一の平面レベル内において、互いに等間隔毎に離間して縦横に並ぶよう配設され、
　互いに隣接する太陽電池セル１３間が採光用の光透過部１５とされ、
　太陽電池セル１３が配設された層レベルより裏面側のレベル位置に、シート状の調光機能材料である、入射面が波状とされた調光シート３０が太陽電池セル１３と互いに電気的に絶縁された状態で光透過部１５を覆うように埋設されている、窓材等に用いられる太陽電池モジュール１０において、
　調光シート３０によって散乱された光の一部は、太陽電池セル１３に入射し、
　太陽電池モジュールの裏面側の照度または太陽電池モジュールの裏面温度が設定された目的照度または目的温度と一致するよう調光シート３０の光透過率が調整される太陽電池モジュール１０。」（以下、「引用発明１」という。）が記載されていると認められる。
　
　イ　引用文献２について
　「アルミニウム基板」や「アルミペースト」の「下部電極」が遮光性であることは、当業者にとって明らかであるから、引用文献２には、「窓に設置される採光型太陽電池モジュールに用いられる、ｐｎ接合ダイオードを形成したものに、下部電極および上部電極を形成した太陽電池素子では、一般的に、受光面に形成される上部電極は透明導電膜であり、下部電極は遮光性のアルミニウム基板やアルミペーストを用いて形成される」ことが記載されていると認められる。
　
　ウ　引用文献３について
　【０００８】を参照すると、図１、５には、反射板３と透過型太陽電池素子１０との間には、収納隔壁４によって、空隙が形成されていると認められる。
　そうすると、引用文献３には、「少なくとも入射光の一部を透過する太陽電池と、透過した光を太陽電池側に反射する白色のプラスチック等からなる反射板を備えた太陽電池装置において、反射板３と透過型太陽電池素子１０との間に、収納隔壁４によって、空隙が形成されている太陽電池装置」が記載されていると認められる。
　
　また、【０００９】には、透過型太陽電池の半導体光活性層において、透明導電膜及び金属膜からなる裏面電極を備えることが記載されている。
　
（４）対比
　本件補正発明と引用発明１とを対比する。
　ア　引用発明１の「白板強化ガラス」は、透明な強化ガラスを意味することは技術常識であるから、引用発明１の「平板状の白板強化ガラスの入射面側光透過性基材１１」は、本件補正発明の「透明基板」に相当する。
　
　イ　引用発明１の「太陽電池セル１３」は、本件補正発明の「太陽電池セル」に相当し、引用発明１の「複数個の太陽電池セル１３」が「同一の平面レベル内において、互いに等間隔毎に離間して縦横に並ぶよう配設される」ことは、本件補正発明の「複数個の太陽電池」が「平面的に配列され」ることに相当する。
　
　ウ　引用発明１の「平板状の白板強化ガラスの入射面側光透過性基材１１とこれに対向する平板状の裏面側光透過性基材１２との間」の「エチレン酢酸ビニールよりなる充填材１４」中に「複数個の太陽電池セル１３」が「配設され」ることは、本件補正発明の「前記太陽電池セルは、前記透明基板上に形成され」ることに相当する。
　
　エ　引用発明１の「調光シート３０によって散乱された光」の「散乱」は、本件補正発明の「拡散」に相当し、引用発明１の「入射面が波状とされた調光シート３０」は、本件補正発明の「表面に凹凸形状を有する拡散板」に相当し、引用発明１の「複数個の太陽電池セル１３」が配設された「充填材１４」に埋設された「調光シート３０」は、本件補正発明の「前記複数個の太陽電池セル上に配置された拡散板」に相当する。
　
　なお、上記ウ、エにおいて、「透明基板上」、「太陽電池セル上」の「上」とは、「物の上部。」という意味であり、「表面。うわべ。うわつら。」という意味があるものの、「高い位置。高い場所。」という意味もあり（[株式会社岩波書店 広辞苑第六版]）、必ずしも、「透明基板」や「太陽電池セル」に接していることを必要とするものでもない。
　これは、請求人の平成２７年４月７日付けの上申書の「透明基板と、前記透明基板上に平面的に配列された複数個の太陽電池セルと、前記複数個の太陽電池セル上に配置された拡散板とを有し、・・・（略）・・・さらに、前記拡散板と前記太陽電池セルとの間には、スペーサにより間隙が形成されていることを特徴とする太陽電池モジュール。」という「補正案」において、「複数個の太陽電池セル」と「該複数個の太陽電池セル上に配置された拡散板」との間に、間隙が形成されている点が規定されていることにも整合する。
　そして、引用発明１において、「平板状の白板強化ガラスの入射面側光透過性基材１１」を、最も下部に配置された部材とみなすと、「複数個の太陽電池セル１３」は、「平板状の白板強化ガラスの入射面側光透過性基材１１」上に配置され、「調光シート３０」は、「複数個の太陽電池セル１３」上に配置されたものということができる。
　
　オ　引用発明１の「調光シート３０」は、「エッジライト式両面導光板」でないことは明らかであり、引用発明１は、「エッジライト式両面導光板」を備えていない構成が、本件補正発明の「拡散板」が「エッジライト式両面導光板ではなく」、「エッジライト式両面導光板を介さずに配置されている」ことに相当する。
　
　カ　引用発明１では、「互いに隣接する太陽電池セル１３間が採光用の光透過部１５とされている」ことから、引用発明１の「太陽電池セル１３間」の「採光用の光透過部１５」は、本件補正発明の「透過領域」に相当し、引用発明１の「採光用の光透過部１５」と本件補正発明の「透過領域」とは、そこに、「太陽電池セル」が形成されない点で共通する。
　すなわち、引用発明１の「互いに隣接する太陽電池セル１３間が採光用の光透過部１５とされている」ことが、本件補正発明の「　隣接する前記太陽電池セルの間に、前記透明基板上に前記太陽電池セルが形成されていない透過領域が配置され」ることに相当する。
　
　キ　上記ア〜カから、本件補正発明と引用発明１とは、
　「透明基板と、前記透明基板上に平面的に配列された複数個の太陽電池セルと、前記複数個の太陽電池セル上に配置された拡散板とを有し、
　隣接する前記太陽電池セルの間に、前記透明基板上に前記太陽電池セルが形成されていない透過領域が配置され、
　前記拡散板が、表面に凹凸形状を有するものであり、
　前記拡散板がエッジライト式両面導光板ではなく、
　前記拡散板が、前記太陽電池セル上にエッジライト式両面導光板を介さずに配置されている太陽電池モジュール。」である点で一致し、次の相違点１で相違する。
　
（相違点１）
　太陽電池セルの構造について、本件補正発明は「透光性を有する第１電極層と、前記第１電極層上に形成された光電変換機能層と、前記光電変換機能層上に形成され、遮光性を有する第２電極層とを有し」ているのに対し、引用発明１の太陽電池セルの構造は不明な点。
　
（５）判断
　上記相違点１について検討する。
　引用発明１のような「窓材等に用いられる太陽電池モジュール１０」の「太陽電池セル１３」において、「透光性を有する第１電極層」と「遮光性を有する第２電極層」とを備えることは、引用文献２の「採光型太陽電池モジュール」の「上部電極」及び「下部電極」、引用文献３の「透明導電膜」及び「金属膜からなる裏面電極」に示されるように、「太陽電池セル１３」の構造としては、周知であって、一般的なものである。
　そうすると、引用発明１に、上記の周知の事項を適用して本件補正発明の上記相違点１に係る発明特定事項を得ることは、当業者が容易に想到し得たことである。
　
（６）むすび
　以上のとおり、本件補正発明は、引用発明１及び周知技術に基いて、当業者が容易に発明をすることができたものであるから、特許法第２９条２項の規定により特許を受けることができない。
　
４．本件補正発明についてのむすび
　以上のとおり、本件補正は、本件補正は、特許法第１７条の２第６項において準用する同法第１２６条第７項の規定に違反するので、同法第１５９条第１項の規定において読み替えて準用する同法第５３条第１項の規定により却下すべきものである。
　
５．請求人の平成２７年４月７日付けの上申書の補正案について
　該補正案に係る発明では、「前記拡散板と前記太陽電池セルとの間には、スペーサにより間隙が形成されている」点が限定されているものの、引用文献３に開示されるように、拡散板と太陽電池セルとの間に、部材（収納隔壁４）を用いて間隙を形成することは周知であって、当業者が必要に応じて適宜採用する事項であるから、該補正案に係る発明は、引用発明１及び周知技術に基いて、当業者が容易に発明をすることができたものである。　
　
第３　本願発明について
１．本願発明
　平成２６年１２月５日付の手続補正は上記のとおり却下されたので、本願の請求項１に係る発明（以下、「本願発明」という。）は、出願当初の特許請求の範囲の請求項１に記載された事項により特定される、上記「第２　１．ア」の請求項１に記載されたとおりのものと認める。
　
２．引用文献４
（１）引用文献４の記載事項
　原査定の拒絶の理由に引用された特開２０１０−２８５７７０号公報（以下、「引用文献４」という。）には、「照明装置付屋根構造体およびこれを用いたカーポート用屋根並びに待合スペース用屋根」（発明の名称）について、次の記載がある。
（引４ア）「【０００１】
　本発明は、照明装置付屋根構造体およびこれを用いたカーポート用屋根並びに待合スペース用屋根に関する。」
（引４イ）「【発明を実施するための形態】
【００６０】
（第一実施形態）
　まず、第一実施形態に係る照明装置付屋根構造体の構成について説明する。
【００６１】
　図１および図２に示すように、照明装置付屋根構造体１は、例えばカーポート用屋根として用いられるものであって、
上下方向に二枚積層された光透過性板材１０，１１（下側の光透過性板材１１は図２参照）と、太陽エネルギーを電気エネルギーに変換するソーラーパネル３０（図２参照）と、光透過性板材１０，１１およびソーラーパネル３０を支持する枠材５０と、ソーラーパネル３０で変換した電気エネルギーを蓄えるバッテリー７０（図４参照）と、照明用光源８０（図２参照）とを備えている。
【００６２】
（光透過性板材）
　光透過性板材１０，１１は、照明装置付屋根構造体１の屋根形状に応じてその形状が決定されており、例えば、平面視で略矩形状に形成されている。光透過性板材１０，１１は、その周縁部が枠材５０に支持されて、屋根面を構成している。光透過性板材１０，１１は、照明装置付屋根構造体１の長手方向（図１中、Ｘ軸方向）に沿って直線状に形成され、且つ照明装置付屋根構造体１の短手方向（図１中、Ｙ軸方向）に沿って湾曲したアーチ状に形成されている。上下の光透過性板材１０，１１は、二枚とも略同形状に形成されている。
【００６３】
　二枚のうち、上側に位置する光透過性板材１０（以下、「上側光透過性板材」という場合がある）は、例えば、光透過性樹脂板あるいは光透過性硝子板にて構成されている。この
上側光透過性板材１０は、ソーラーパネル３０による発電量を考慮すると、透明なものであるのが好ましい。
【００６４】
　下側に位置する光透過性板材１１（以下、「下側光透過性板材」という場合がある）は、上下両面から光を放射するエッジライト式両面導光板によって構成されている。エッジライト式両面導光板は、その端面（エッジ）より照明用光源８０からの光を導入し、この光がエッジライト式両面導光板の中を全反射しながら、エッジライト式両面導光板の平板方向（板が広がる方向）に進んで行くうちに、表面に設けられた後記する反射手段１２に当たって向きを変え、全反射臨界角度より大きくなった成分の光がエッジライト式両面導光板の表面に出てくる現象を用いて、照明効果を得るものである。下側光透過性板材１１（エッジライト式両面導光板）は、ポリメチルメタクリレート系、ポリカーボネート系、ポリスチレン系またはアクリル系などの光透過性樹脂板にて構成されている。この光透過性樹脂板は、ガラス板と比べると光透過率は低いが、エッジライト式両面導光板としての透過率は十分に確保できる。また、光透過性樹脂板は、強度が高く、軽量であるので、光透過性板材１０，１１の大面積化に対応することができる。
【００６５】
・・・（略）・・・
【００７２】
　
下側光透過性板材１１の下面には、照明用光源８０からの光を拡散させて下方に出射させる拡散シート１５が布設されている
拡散シート１５は、その片側表面（下面）に凹凸を形成したマットタイプのシートとしてもよい
【００７３】
・・・（略）・・・
【００８０】
（ソーラーパネル）
　図２および図３に示すように、
ソーラーパネル３０は、薄膜系太陽電池セル３１に、光透過性のバックシート３２を布設して構成されている。
【００８１】
　なお、本実施形態では、厚さが数μｍの薄膜を基板上一面に形成してなる薄膜系太陽電池セル３１を用いているがこれに限定されるものではない。例えば、
図７に示すように、基板３５上に、厚さが１５０〜３００μｍであるｐｃ−Ｓｉ型（多結晶Ｓｉ型）の太陽電池セル３６等を所定の隙間を空けて配置するようにしてもよい
この場合、太陽電池セル３６自体に光透過性はないが、太陽電池セル３６が配置されていない隙間部分を通して光が透過するようになっている。
（引４ウ）図１
（引４エ）図２
（引４オ）図７
　
（２）引用文献４に記載された発明
　ア　図２には、「上側光透過性板材１０」、「ソーラーパネル３０」、「下側光透過性板材１１」及び「拡散シート１５」を順に積層した構造が示されており、「ソーラーパネル３０」は、「バックシート３２」、「薄膜系太陽電池セル３１」及び「バックシート３２」を順に積層したものが看取される。
　
　イ　【００８１】には、「薄膜系太陽電池セル３１」に代えて、「基板３５上に、厚さが１５０〜３００μｍであるｐｃ−Ｓｉ型（多結晶Ｓｉ型）の太陽電池セル３６等を所定の隙間を空けて配置」したものを用いて、「太陽電池セル３６が配置されていない隙間部分を通して光が透過するように」することが記載されている。
　ここで、「太陽電池セル３６」は複数個であって、「基板３５」は、光が透過するのであるから、透明であることは、当業者にとって明らかである。
　
　ウ　ここで、「透明な上側光透過性板材１０」を最も下部の部材とすると、引用文献４には、
　「透明な上側光透過性板材１０と、該上側光透過性板材１０上の、透明な基板３５上に、厚さが１５０〜３００μｍであるｐｃ−Ｓｉ型（多結晶Ｓｉ型）の複数個の太陽電池セル３６を所定の隙間を空けて配置し、太陽電池セル３６が配置されていない隙間部分を通して光が透過するようにしたソーラーパネル３０と、該ソーラーパネル３０上の、透明な下側光透過性板材１１と、その片側表面に凹凸を形成したマットタイプのシートの光を拡散する拡散シート１５とを順に積層し、
　該光透過性板材１０、１１と該ソーラーパネル３０とを支持する枠材５０と、ソーラーパネル３０で変換した電気エネルギーを蓄えるバッテリー７０と、照明用光源８０とを備えた照明装置付屋根構造体。」（以下、「引用発明２」という。）が記載されていると認められる。
　
３．対比
　本願発明と引用発明２とを対比する。
　ア　引用発明２の「透明な上側光透過性板材１０」、「上側光透過性板材１０上の、透明な基板３５上」の「太陽電池セル３６」、「透明な上側光透過性板材１０」上の「透明な基板３５」上に、「厚さが１５０〜３００μｍであるｐｃ−Ｓｉ型（多結晶Ｓｉ型）の複数個の太陽電池セル３６を所定の隙間を空けて配置」すること、「厚さが１５０〜３００μｍであるｐｃ−Ｓｉ型（多結晶Ｓｉ型）の複数個の太陽電池セル３６」、「複数個の太陽電池セル３６を所定の隙間を空けて配置」して生じた「太陽電池セル３６が配置されていない隙間部分」、「複数個の太陽電池セル３６」上の「その片側表面に凹凸を形成したマットタイプのシートの光を拡散する拡散シート１５」及び「照明装置付屋根構造体」は、本願発明の「透明基板」、「透明基板上に平面的に配列された複数個の太陽電池セル」、「前記太陽電池セルは、前記透明基板上に形成され」ること、「光電変換機能層」、「隣接する前記太陽電池セルの間」の「透明基板上」の「太陽電池セルが形成されていない透過領域」、「表面に凹凸形状を有する」「複数個の太陽電池セル上に配置された拡散板」及び「太陽電池モジュール」に、それぞれ相当する。
　
　イ　そうすると、本願発明と引用発明２とは、
「透明基板と、前記透明基板上に平面的に配列された複数個の太陽電池セルと、前記複数個の太陽電池セル上に配置された拡散板とを有し、
　前記太陽電池セルは、前記透明基板上に形成され、光電変換機能層を有し、
　隣接する前記太陽電池セルの間に、前記透明基板上に前記太陽電池セルが形成されていない透過領域が配置され、
　前記拡散板が、表面に凹凸形状を有するものである太陽電池モジュール。」である点で一致し、次の相違点２で相違する。
　
（相違点２）
　太陽電池セルの構造について、本願発明は、「透光性を有する第１電極層と、前記第１電極層上に形成された光電変換機能層と、前記光電変換機能層上に形成され、遮光性を有する第２電極層とを有」するのに対し、引用発明２の「太陽電池セル３６」の電極の構造は不明な点。
　
４．判断
　上記相違点２について検討する。
　上記「第３　３．（５）」でも述べたように、引用発明２のような光を透過する「太陽電池セル３６」において、「透光性を有する第１電極層」と「遮光性を有する第２電極層」とを備えることは、周知であって一般的なものである。
　そうすると、引用発明２に上記の周知の事項を適用して、本願発明の上記相違点２に係る発明特定事項を得ることは、当業者が容易に想到し得たことである。
　
第４　むすび
　以上のとおり、本願発明は、引用発明２及び周知技術に基いて、当業者が容易に発明をすることができたものであるから、特許法第２９条２項の規定により特許を受けることができない。
　
　したがって、その余の請求項について論及するまでもなく、本願は拒絶すべきものである。　
　よって結論のとおり審決する。